(57)【要約】【課題】差動信号波形の品質低下を抑制しつつ、携帯電話のドライバとレシーバとの間におけるコモンモードノイズ対策及びノーマルモードノイズ対策に適したノイズフィルタを提供する。【解決手段】ＬＣフィルタＬＣ１は、コイルＬ１を含んでいる。ＬＣフィルタＬＣ２は、コイルＬ２を含んでいる。積層体１２ａは、ＬＣフィルタＬＣ１，ＬＣ２を内蔵していると共に、複数の誘電体層１４ａ〜１４ｆ，１６ａ〜１６ｑが積層されて構成されている。コイルＬ２は、ｚ軸方向において、コイルＬ１と重なっていると共に、ｚ軸方向から平面視したときに、コイルＬ１と重なっている。【選択図】図２
2010141827.tif 000002
【特許請求の範囲】
【請求項１】
第１のコイルを含む第１のＬＣフィルタと、
第２のコイルを含む第２のＬＣフィルタと、
前記第１のＬＣフィルタ及び前記第２のＬＣフィルタを内蔵していると共に、複数の絶縁体層が積層されてなる積層体と、
を備え、
前記第２のコイルは、積層方向において、前記第１のコイルと重なっていると共に、積層方向から平面視したときに、該第１のコイルと重なっていること、
を特徴とするノイズフィルタ。
【請求項２】
前記第２のコイルは、積層方向において、前記第１のコイルと一部において重なっており、
前記第１のコイルのコイル軸と前記第２のコイルのコイル軸とは、積層方向から平面視したときに、重なっていること、
を特徴とする請求項１に記載のノイズフィルタ。
【請求項３】
前記第２のコイルは、積層方向において、前記第１のコイルと一致した状態で重なっており、
前記第１のコイルのコイル軸と前記第２のコイルのコイル軸とは、積層方向から平面視したときに、重なっていないこと、
を特徴とする請求項１に記載のノイズフィルタ。
【請求項４】
前記第１のＬＣフィルタは、第１のコンデンサを、含み、
前記第２のＬＣフィルタは、第２のコンデンサを、含み、
前記第１のコイル及び前記第２のコイルは、積層方向において、前記第１のコンデンサと前記第２のコンデンサとの間に設けられていること、
を特徴とする請求項１ないし請求項３のいずれかに記載のノイズフィルタ。
【請求項５】
前記第１のコイルと前記第２のコイルとは、０．３以上０．６以下の結合係数で磁気結合していること、
を特徴とする請求項１ないし請求項４のいずれかに記載のノイズフィルタ。
【請求項６】
第３のコイルを含む第３のＬＣフィルタと、
第４のコイルを含む第４のＬＣフィルタと、
を更に備え、
前記第１のコイルと前記第３のコイルとは、容量結合していること、
を特徴とする請求項１ないし請求項５のいずれかに記載のノイズフィルタ。
【請求項７】
前記第４のコイルは、積層方向において、前記第３のコイルと重なっていると共に、積層方向から平面視したときに、該第３のコイルと重なっていること、
を特徴とする請求項６に記載のノイズフィルタ。
【請求項８】
前記第３のＬＣフィルタは、第３のコンデンサを、含み、
前記第４のＬＣフィルタは、第４のコンデンサを、含み、
前記第３のコイル及び前記第４のコイルは、積層方向において、前記第３のコンデンサと前記第４のコンデンサとの間に設けられていること、
を特徴とする請求項６又は請求項７のいずれかに記載のノイズフィルタ。
【請求項９】
積層方向から平面視したときに、前記第１のコイルと前記第３のコイルとに重なるように設けられている容量結合電極を、
更に備えていること、
を特徴とする請求項６ないし請求項８のいずれかに記載のノイズフィルタ。
【発明の詳細な説明】
【技術分野】
【０００１】
本発明は、ノイズフィルタに関し、コモンモードチョークコイルを内蔵したノイズフィルタに関する。
【背景技術】
【０００２】
携帯電話のドライバとレシーバとの間における信号伝送方式として、差動伝送方式が用いられることがある。差導伝送方式では、２本の信号線を伝送する差動信号の電流の和が一定であるので、理論的には、コモンモードノイズが発生しない。
【０００３】
しかしながら、実際には、ドライバのインピーダンスのばらつき等により、２つの信号の振幅や立ち上がり時間、位相等のバランスが崩れ、コモンモードノイズが差動信号に発生してしまう。そのため、ドライバとレシーバとの間において、コモンモードノイズの対策を行う必要がある。
【０００４】
更に、差動伝送方式では、規格（例えば３ＧＰＰ）によっては、差動信号を構成するノーマルモードの信号の高次（４次以上）の高調波を除去する必要がある。すなわち、該ノーマルモードの信号がノーマルモードノイズとみなされる場合がある。したがって、ドライバとレシーバとの間において、ノーマルモードノイズの対策も行う必要がある。以上のように、携帯電話のドライバとレシーバとの間におけるコモンモードノイズ対策及びノーマルモードノイズ対策に適したノイズフィルタが望まれている。
【０００５】
なお、従来のノイズフィルタとしては、例えば、特許文献１に記載の積層型アレイ部品が知られている。しかしながら、該積層型アレイ部品は、ノーマルモードノイズの除去のためのノイズフィルタであるので、ノーマルモードノイズつまり差動信号を構成する高調波信号を過剰に除去し、波形品質を低下させてしまう。
【特許文献１】特開２００５−６４２６７号公報
【発明の開示】
【発明が解決しようとする課題】
【０００６】
そこで、本発明の目的は、差動信号波形の品質低下を抑制しつつ、携帯電話のドライバとレシーバとの間におけるコモンモードノイズ対策及びノーマルモードノイズ対策に適したノイズフィルタを提供することである。
【課題を解決するための手段】
【０００７】
本発明の一形態であるノイズフィルタは、第１のコイルを含む第１のＬＣフィルタと、第２のコイルを含む第２のＬＣフィルタと、前記第１のＬＣフィルタ及び前記第２のＬＣフィルタを内蔵していると共に、複数の絶縁体層が積層されてなる積層体と、を備え、前記第２のコイルは、積層方向において、前記第１のコイルと重なっていると共に、積層方向から平面視したときに、該第１のコイルと重なっていること、を特徴とする。
【発明の効果】
【０００８】
本発明によれば、２つのコイルの結合係数を０．３以上０．６以下に設定することが容易となるので、差動信号波形の品質低下を抑制しつつ、携帯電話のドライバとレシーバとの間を伝送するコモンモードノイズ及びノーマルモードノイズを効果的に除去することができる。
【発明を実施するための最良の形態】
【０００９】
以下に、本発明の実施形態に係るノイズフィルタについて説明する。
【００１０】
（第１の実施形態）
図１は、本発明の実施形態に係るノイズフィルタ１０ａ〜１０ｆの外観斜視図である。図２は、ノイズフィルタ１０ａの積層体１２ａの分解図である。図３は、ノイズフィルタ１０ａの等価回路図である。以下では、ノイズフィルタ１０ａの形成時に、セラミックグリーンシートが積層される方向を積層方向と定義する。そして、この積層方向をｚ軸方向とし、ノイズフィルタ１０ａの長手方向をｘ軸方向とし、ｘ軸とｚ軸とに直交する方向をｙ軸方向とする。ｘ軸、ｙ軸及びｚ軸は、ノイズフィルタ１０ａを構成する辺に対して平行である。
【００１１】
（ノイズフィルタの構成）
ノイズフィルタ１０ａは、図１に示すように、積層体１２ａ、及び、外部電極Ｅ１〜Ｅ１０を備えている。以下、積層体１２ａのｘ軸方向の両端に位置する面を端面と定義し、積層体１２ａのｙ軸方向の両端に位置する面を側面と定義し、積層体１２ａのｚ軸方向の正方向側の面を上面と定義し、積層体１２ａのｚ軸方向の負方向側の面を下面と定義する。
【００１２】
外部電極Ｅ１，Ｅ３，Ｅ５，Ｅ７はそれぞれ、ｙ軸方向の正方向側の側面において、ｚ軸方向に延びるように形成されている。外部電極Ｅ１，Ｅ３，Ｅ５，Ｅ７はそれぞれ、入力端子として機能する。外部電極Ｅ２，Ｅ４，Ｅ６，Ｅ８はそれぞれ、ｙ軸方向の負方向側の側面において、ｚ軸方向に延びるように形成されている。外部電極Ｅ２，Ｅ４，Ｅ６，Ｅ８はそれぞれ、出力端子として機能する。外部電極Ｅ９，Ｅ１０はそれぞれ、両端面において、ｚ軸方向に延びるように形成されている。外部電極Ｅ９，Ｅ１０はそれぞれ、グランド電極として機能する。
【００１３】
積層体１２ａは、以下に説明するように、複数の内部電極と複数の誘電体層とが共に積層されて構成され、内部にＬＣフィルタＬＣ１〜ＬＣ４を内蔵している。より詳細には、積層体１２ａは、図２に示すように、複数の誘電体層１４ａ〜１４ｃ，１６ａ〜１６ｑ，１４ｄ〜１４ｆがこの順に積層されることにより構成される。複数の誘電体層１４ａ〜１４ｃ，１６ａ〜１６ｑ，１４ｄ〜１４ｆは、それぞれ略同じ面積及び形状を有する長方形の絶縁層である。
【００１４】
誘電体層１６ａの主面上には、ｙ軸方向に長手方向を有する長方形状のコンデンサ電極５０，５２，５４，５６が形成されている。コンデンサ電極５０，５２，５４，５６はそれぞれ、ｙ軸方向の負方向側の端部において、コンデンサ電極５０，５２，５４，５６と外部電極Ｅ２，Ｅ４，Ｅ６，Ｅ８とを接続するための引き出し部５１，５３，５５，５７を有している。また、誘電体層１６ｂの主面上には、ｘ軸方向に長手方向を有する長方形状のコンデンサ電極５８が形成されている。コンデンサ電極５８は、ｘ軸方向の両端部において、コンデンサ電極５８と外部電極Ｅ９，Ｅ１０とを接続するための引き出し部７１，７２を有している。
【００１５】
コンデンサ電極５０とコンデンサ電極５８とが誘電体層１６ａを挟んで対向することにより、コンデンサＣ１を構成している。コンデンサ電極５２とコンデンサ電極５８とが誘電体層１６ａを挟んで対向することにより、コンデンサＣ２を構成している。コンデンサ電極５４とコンデンサ電極５８とが誘電体層１６ａを挟んで対向することにより、コンデンサＣ３を構成している。コンデンサ電極５６とコンデンサ電極５８とが誘電体層１６ａを挟んで対向することにより、コンデンサＣ４を構成している。
【００１６】
誘電体層１６ｃ〜１６ｆ，１６ｈ〜１６ｋの主面上にはそれぞれ、線状電極が折り曲げられた形状を有するコイル電極３０ａ〜３０ｈ，３４ａ〜３４ｈが設けられている。より詳細には、コイル電極３０ａ，３４ａはそれぞれ、「Ｌ」字形状を有し、その一端はそれぞれ、外部電極Ｅ１，Ｅ７に接続されている。コイル電極３０ｂ〜３０ｇ，３４ｂ〜３４ｇは、同じ誘電体層１６上に形成されたもの同士で互いに反対方向に旋廻するように渦状に形成された電極である。また、コイル電極３０ｈ，３４ｈはそれぞれ、「Ｌ」字形状を有し、その一端はそれぞれ、外部電極Ｅ２，Ｅ８に接続されている。
【００１７】
更に、誘電体層１６ｃ〜１６ｊにはそれぞれ、ビア導体ｂ１〜ｂ８，ｂ２１〜ｂ２８が設けられている。ビア導体ｂ１〜ｂ４，ｂ６〜ｂ８は、コイル電極３０ａ〜３０ｈの一端に接続されている。また、ビア導体ｂ５は、ビア導体ｂ４とビア導体ｂ６とを接続している。一方、ビア導体ｂ２１〜ｂ２４，ｂ２６〜ｂ２８は、コイル電極３４ａ〜３４ｈの一端に接続されている。また、ビア導体ｂ２５は、ビア導体ｂ２４とビア導体ｂ２６とを接続している。これにより、誘電体層１６ｃ〜１６ｋが積層された場合には、ビア導体ｂ１〜ｂ８，ｂ２１〜ｂ２８は、ｚ軸方向に隣り合っているコイル電極３０ａ〜３０ｈ，３４ａ〜３４ｈ同士を接続する。その結果、コイル電極３０ａ〜３０ｈは、コイルＬ１を構成し、コイル電極３４ａ〜３４ｈは、コイルＬ４を構成する。
【００１８】
誘電体層１６ｇ〜１６ｊ，１６ｌ〜１６ｏの主面上にはそれぞれ、線状電極が折り曲げられた形状を有するコイル電極３２ａ〜３２ｈ，３６ａ〜３６ｈが設けられている。より詳細には、コイル電極３２ａ，３６ａはそれぞれ、「Ｌ」字形状を有し、その一端はそれぞれ、外部電極Ｅ４，Ｅ６に接続されている。コイル電極３２ｂ〜３２ｇ，３６ｂ〜３６ｇは、同じ誘電体層１６上に形成されたもの同士で互いに反対方向に旋廻するように渦状に形成された電極である。また、コイル電極３２ｈ，３６ｈはそれぞれ、「コ」字形状を有し、その一端はそれぞれ、外部電極Ｅ３，Ｅ５に接続されている。
【００１９】
更に、誘電体層１６ｇ〜１６ｎにはそれぞれ、ビア導体ｂ１１〜ｂ１８，ｂ３１〜ｂ３８が設けられている。ビア導体ｂ１１〜ｂ１４，ｂ１６〜ｂ１８は、コイル電極３２ａ〜３２ｈの一端に接続されている。また、ビア導体ｂ１５は、ビア導体ｂ１４とビア導体ｂ１６とを接続している。一方、ビア導体ｂ３１〜ｂ３４，ｂ３６〜ｂ３８は、コイル電極３６ａ〜３６ｈの一端に接続されている。また、ビア導体ｂ３５は、ビア導体ｂ３４とビア導体ｂ３６とを接続している。これにより、誘電体層１６ｇ〜１６ｎが積層された場合には、ビア導体ｂ１１〜ｂ１８，ｂ３１〜ｂ３８は、ｚ軸方向に隣り合っているコイル電極３２ａ〜３２ｈ，３６ａ〜３６ｈ同士を接続する。その結果、コイル電極３２ａ〜３２ｈは、コイルＬ２を構成し、コイル電極３６ａ〜３６ｈは、コイルＬ３を構成する。
【００２０】
誘電体層１６ｑの主面上には、ｙ軸方向に長手方向を有する長方形状のコンデンサ電極６０，６２，６４，６６が形成されている。コンデンサ電極６０，６２，６４，６６はそれぞれ、ｙ軸方向の負方向側の端部において、コンデンサ電極６０，６２，６４，６６と外部電極Ｅ２，Ｅ４，Ｅ６，Ｅ８とを接続するための引き出し部６１，６３，６５，６７を有している。また、誘電体層１６ｐの主面上には、ｘ軸方向に長手方向を有する長方形状のコンデンサ電極６８が形成されている。コンデンサ電極６８は、ｘ軸方向の両端部において、コンデンサ電極６８と外部電極Ｅ９，Ｅ１０とを接続するための引き出し部７３，７４を有している。
【００２１】
コンデンサ電極６０とコンデンサ電極６８とが誘電体層１６ｐを挟んで対向することにより、コンデンサＣ１を構成している。コンデンサ電極６２とコンデンサ電極６８とが誘電体層１６ｐを挟んで対向することにより、コンデンサＣ２を構成している。コンデンサ電極６４とコンデンサ電極６８とが誘電体層１６ｐを挟んで対向することにより、コンデンサＣ３を構成している。コンデンサ電極６６とコンデンサ電極６８とが誘電体層１６ｐを挟んで対向することにより、コンデンサＣ４を構成している。
【００２２】
積層体１２ａが以上のような構成を有することにより、図３に示すように、コイルＬ１及びコンデンサＣ１からなるＬＣフィルタＬＣ１、コイルＬ２及びコンデンサＣ２からなるＬＣフィルタＬＣ２、コイルＬ３及びコンデンサＣ３からなるＬＣフィルタＬＣ３、及び、コイルＬ４及びコンデンサＣ４からなるＬＣフィルタＬＣ４が形成されている。ＬＣフィルタＬＣ２，ＬＣ３は、ＬＣフィルタＬＣ１，ＬＣ４とは電気的に接続されていない。ここで、ＬＣフィルタＬＣ１を例にとると、コイルＬ１の一端が外部電極Ｅ１に接続されていると共に、コイルＬ１の他端が外部電極Ｅ２に接続されている。更に、コンデンサＣ１の一端は、コイルＬ１の他端に接続されていると共に、コンデンサＣ１の他端は、外部電極Ｅ９，Ｅ１０に接続されている。ＬＣフィルタＬＣ２，ＬＣ３，ＬＣ４の構成については、ＬＣフィルタＬＣ１の構成と同様であるので説明を省略する。
【００２３】
ところで、外部電極Ｅ１，Ｅ３が入力端子と機能し、外部電極Ｅ２，Ｅ４が出力端子と機能するので、図２において、コイルＬ１には、例えば、ｚ軸方向の上から下へと電流が流れ、コイルＬ２には、例えば、ｚ軸方向の下から上へと電流が流れる。すなわち、コイルＬ１とコイルＬ２とには、ｚ軸方向において逆方向に電流が流れる。更に、コイルＬ１を構成するコイル電極３０ａ〜３０ｆは、ｚ軸方向の上から下へと行くにしたがって時計回りに旋廻し、コイルＬ２を構成するコイル電極３４ａ〜３４ｆは、ｚ軸方向の上から下へと行くにしたがって反時計回りに旋廻している。すなわち、コイルＬ１とコイルＬ２とは、互いに逆向きに旋廻している。したがって、コイルＬ１とコイルＬ２とに電流が流れた場合には、共に同じ方向に電流が旋廻するようになる。また、コイルＬ１とコイルＬ２とは、バイファイラ巻きに構成されている。具体的には、コイルＬ１及びコイルＬ２は、図２に示すように、ｚ軸方向から平面視したときに、コイルＬ１のコイル軸とコイルＬ２のコイル軸とが重なるようにｚ軸方向に並べて配置されている。更に、コイルＬ２は、ｚ軸方向において、誘電体層１６ｇ〜１６ｋにてコイルＬ１と一部において重なっている。その結果、コイルＬ１とコイルＬ２とは、同じ方向に磁束を発生して磁気的に結合することで、ＬＣフィルタＬＣ１を構成するコイルＬ１及びＬＣフィルタＬＣ２を構成するコイルＬ２は、コモンモードチョークコイルＬ１１としても機能する。なお、ＬＣフィルタＬＣ３を構成するコイルＬ３及びＬＣフィルタＬＣ４を構成するコイルＬ４も、コモンモードチョークコイルＬ１２としても機能しているが、その詳細についてはコイルＬ１とコイルＬ２と同じであるので説明を省略する。
【００２４】
（効果）
以上のように、ノイズフィルタ１０ａによれば、ＬＣフィルタＬＣ１〜ＬＣ４が内蔵されていると共に、コイルＬ１〜Ｌ４がコモンモードチョークコイルＬ１１，Ｌ１２を構成するコイルを兼ねているので、ノーマルモードノイズ及びコモンモードノイズの両方を除去することができる。
【００２５】
特に、ノイズフィルタ１０ａでは、図２に示すように、ｚ軸方向から平面視したときに、コイルＬ１のコイル軸とコイルＬ２のコイル軸とが一致していると共に、コイルＬ１の一部とコイルＬ２の一部とがｚ軸方向において重なっている。よって、コイルＬ１とコイルＬ２とがｚ軸方向において重なっている部分の長さを調整することにより、コイルＬ１とコイルＬ２とを適切な結合係数にて結合させることが容易となる。同様に、コイルＬ３とコイルＬ４とを適切な結合係数にて結合させることが容易となる。この適切な結合係数とは、具体的には、０．３以上０．６以下である。そして、コイルＬ１とコイルＬ２との結合係数及びコイルＬ３とコイルＬ４との結合係数を０．３以上０．６以下とすることにより、携帯電話のドライバとレシーバとの間を伝送する差動信号に発生するノーマルモードノイズを効果的に除去できる。
【００２６】
より詳細には、本願発明者は、ノイズフィルタ１０ａが奏する効果を確認するために、以下に説明するコンピュータシミュレーションを行った。図４ないし図７は、コンピュータシミュレーションの結果を示したグラフであり、ノイズフィルタ１０ａにおいて、コイルＬ１とコイルＬ２との結合係数及びコイルＬ３とコイルＬ４との結合係数を０．２，０．３，０．６，０．７としたときにおける、ノーマルモードノイズの挿入損失と周波数との関係を示したグラフである。縦軸は、ノイズの挿入損失を示し、横軸は、周波数を示している。
【００２７】
携帯電話のドライバとレシーバとの間を伝送する差動信号の周波数は、１００ＭＨｚ程度である。このような差動信号では、３次の高調波である３００ＭＨｚ付近におけるノーマルモードノイズの挿入損失は、３ｄＢよりも小さい必要がある。これは、３００ＭＨｚ付近におけるノーマルモードノイズの挿入損失が大きすぎると、差動信号そのものに悪影響が出るからである。
【００２８】
そこで、図４に示したグラフを参照すると、結合係数が０．２の場合には、３００ＭＨｚにおけるノーマルモードノイズの挿入損失は、５ｄＢ程度であることが分かる。一方、図５に示したグラフを参照すると、結合係数が０．３の場合には、３００ＭＨｚにおけるノーマルモードノイズの挿入損失は、３ｄＢ程度となっている。故に、コイルＬ１とコイルＬ２との結合係数及びコイルＬ３とコイルＬ４との結合係数は、０．３以上であることが好ましい。
【００２９】
また、ＵＨＦ帯の下限周波数である４７０ＭＨｚ付近におけるノーマルモードノイズの挿入損失は、１０ｄＢよりも大きい必要がある。これは、ＵＨＦ帯の信号がノーマルモードノイズとして差動信号に影響を及ぼすことを防止するためである。
【００３０】
そこで、図７に示したグラフを参照すると、結合係数が０．７の場合には、４７０ＭＨｚにおけるノーマルモードノイズの挿入損失は、５ｄＢ程度であることが分かる。一方、図６に示したグラフを参照すると、結合係数が０．６の場合には、４７０ＭＨｚにおけるノーマルモードノイズの挿入損失は、１０ｄＢ程度となっている。故に、コイルＬ１とコイルＬ２との結合係数及びコイルＬ３とコイルＬ４との結合係数は、０．６以下であることが好ましい。
【００３１】
以上のように、ノイズフィルタ１０ａは、コモンモードチョークコイルＬ１１，Ｌ１２を有しているので、携帯電話のドライバとレシーバとの間に発生するコモンモードノイズを除去することができる。更に、ノイズフィルタ１０ａは、コイルＬ１とコイルＬ２との結合係数及びコイルＬ３とコイルＬ４との結合係数が、０．３以上０．６以下となっているので、差動信号波形の劣化を抑制しつつ、ノーマルモードノイズも除去できる。よって、ノイズフィルタ１０ａは、携帯電話のドライバとレシーバとの間におけるコモンモードノイズ対策及びノーマルモードノイズ対策に適している。
【００３２】
次に、本願発明者は、ノイズフィルタ１０ａが奏する効果を明確なものとするために、実験を行った。より詳細には、ノイズフィルタ１０ａに相当する第１の実験例を作製すると共に、特許文献１に記載の積層型アレイ部品に相当する第２の実験例を作製した。第２の実験例の結合係数は、０．０５以下に設定した。そして、第１の実験として、これらの実験例に矩形波を入力させて、出力されてくる出力信号を測定した。また、第２の実験として、これらの実験例への入力時の各周波数におけるノイズの強度分布と、これらの実験例からの出力時の各周波数におけるノイズの強度分布とを測定した。
【００３３】
図８は、第１の実験例において、第１の実験を行った際の結果を示したグラフである。図９は、第２の実験例において、第１の実験を行った際の結果を示したグラフである。図８及び図９では、縦軸は、信号レベルを示しており、横軸は、時間を示している。
【００３４】
図１０は、第２の実験例において、第２の実験を行った際の結果を示したグラフである。図１１は、第１の実験例において、第２の実験を行った際の結果を示したグラフである。図１０及び図１１では、縦軸は、ノイズレベルを示しており、横軸は、周波数を示している。
【００３５】
第１の実験において、第１の実験例及び第２の実験例に矩形波を入力したところ、高周波におけるノイズが除去されて、図８及び図９に示すように、第１の実験例及び第２の実験例共に正弦波状の信号が出力されてきた。図８と図９とを比較すると、図８の出力信号の方が、図９の出力信号よりも、急峻な立ち上がり及び立ち下がりをしており、入力信号に近い波形を有していることが分かる。したがって、矩形波を入力信号として用いた場合における出力信号の劣化の程度は、第１の実験例の方が第２の実験例よりも小さいことが理解できる。すなわち、ノイズフィルタ１０ａにおける出力信号の劣化は、特許文献１に記載の積層型アレイ部品における出力信号の劣化よりも小さいことが理解できる。
【００３６】
更に、第２の実験において、第１の実験例及び第２の実験例に同じ強度分布のノイズを入力した。その結果、図１０及び図１１に示すように、第１の実験例と第２の実験例とで略同じノイズ除去効果を得ることができていることが分かる。すなわち、ノイズフィルタ１０ａにおけるノイズ除去効果は、特許文献１に記載の積層アレイ部品におけるノイズ除去効果と同等であることが理解できる。
【００３７】
以上のように、第１の実験及び第２の実験によれば、ノイズフィルタ１０ａは、出力信号の波形の劣化を低減しつつ、良好なノイズ除去効果を得ることができていることが分かる。
【００３８】
また、ノイズフィルタ１０ａによれば、ＬＣフィルタとコモンモードチョークコイルとが一つのノイズフィルタ１０ａ内に内蔵されているので、ＬＣフィルタとコモンモードチョークコイルとが別々の電子部品により構成されている場合に比べて、回路全体を小型化できる。特に、ノイズフィルタ１０ａでは、コイルＬ１，Ｌ２は、コモンモードチョークコイルＬ１１として機能すると共に、ＬＣフィルタＬＣ１，ＬＣ２の一部としても機能している。同様に、コイルＬ３，Ｌ４は、コモンモードチョークコイルＬ１２として機能すると共に、ＬＣフィルタＬＣ３，ＬＣ４の一部としても機能している。このように、ノイズフィルタ１０ａでは、コイルＬ１〜Ｌ４が、ＬＣフィルタの一部及びコモンモードチョークコイルの一部に兼用されているので、ノイズフィルタ１０ａがより小型化される。
【００３９】
また、ノイズフィルタ１０ａでは、以下に説明するように、コモンモードノイズを効率よく除去することが可能となる。ｘｚ断面において、コイルＬ１が発生する磁束とコイルＬ２が発生する磁束、及び、コイルＬ３が発生する磁束とコイルＬ４が発生する磁束が等しくない場合には、ノーマルモードノイズがコモンモードノイズに変換されてしまい、新たなコモンモードノイズが発生して、コモンモードノイズが効率よく除去されない。そこで、ノイズフィルタ１０ａでは、ｘｚ断面において、コイルＬ１が発生する磁束の大きさとコイルＬ２が発生する磁束の大きさとが略等しくなるように、コイルＬ１，Ｌ２の電流経路を構成している。同様に、ｘｚ断面において、コイルＬ３が発生する磁束の大きさとコイルＬ４が発生する磁束の大きさとが略等しくなるように、コイルＬ３，Ｌ４の電流経路を構成している。これにより、コイルＬ１とコイルＬ２との間及びコイルＬ３とコイルＬ４との間の特性の差を小さくできる。故に、ノーマルモードノイズがコモンモードノイズに変換されて、新たなコモンモードノイズが発生することがない。そのため、ノイズフィルタ１０ａでは、コモンモードチョークコイルＬ１１及びコモンモードチョークコイルＬ１２にて、より効率よくコモンモードノイズを除去することが可能となる。
【００４０】
また、ｘｚ断面においてコンデンサ電極が誘電体層１６ｉに対して線対称な構造でない場合には、磁束の大きさが等しくなりにくいため、ノーマルモードノイズがコモンモードノイズに変換されてしまい、新たなコモンモードノイズが発生して、コモンモードノイズが効率よく除去されない。一方、図２に示すように、コンデンサ電極５０，５２，５８，６０，６２，６８は、ｘｚ断面において、ＬＣフィルタＬＣ１とＬＣフィルタＬＣ２との境界線（図２では、誘電体層１６ｉ）に対して、略線対称な構造を有している。同様に、図２に示すように、コンデンサ電極５４，５６，５８，６４，６６，６８は、ｘｚ断面において、ＬＣフィルタＬＣ３とＬＣフィルタＬＣ４の境界線（図２では、誘電体層１６ｉ）に対して、略線対称な構造を有している。これにより、コンデンサ電極５０，５２，５８が、コイルＬ１による磁束に及ぼす影響と、コンデンサ電極６０，６２，６８が、コイルＬ２による磁束に及ぼす影響とを等しくできる。同様に、コンデンサ電極５４，５６，５８が、コイルＬ４による磁束に及ぼす影響と、コンデンサ電極６４，６６，６８が、コイルＬ３による磁束に及ぼす影響とを等しくできる。すなわち、コイルＬ１とコイルＬ２との間及びコイルＬ３とコイルＬ４との間の特性の差をより小さくできる。故に、ノーマルモードノイズがコモンモードノイズに変換されて、新たなコモンモードノイズが発生することがない。そのため、ノイズフィルタ１０ａでは、コモンモードチョークコイルＬ１１及びコモンモードチョークコイルＬ１２にて、より効率よくコモンモードノイズを除去することが可能となる。
【００４１】
また、ノイズフィルタ１０ａでは、図２に示すように、コイルＬ１，Ｌ２は、ｚ軸方向において、コンデンサＣ１，Ｃ２の間に位置するように積層されている。すなわち、コイルＬ１とコイルＬ２との間には、コンデンサが設けられていない。そのため、コイルＬ１及びコイルＬ２にて発生した磁束は、コンデンサＣ１，Ｃ２により妨げられにくい。これにより、コイルＬ１，Ｌ２内の磁束を強めることができ、ＬＣフィルタＬＣ１，ＬＣ２のノーマルモードノイズの除去特性を向上させることができると共に、ＬＣフィルタＬＣ１とＬＣフィルタＬＣ２との磁気的結合を強めることができ、コモンモードチョークコイルＬ１１のコモンモードノイズの除去特性を向上させることが可能となる。なお、同様のことが、ＬＣフィルタＬＣ３，ＬＣ４及びコイルＬ３，Ｌ４についても言える。
【００４２】
（第２の実施形態）
以下に、第２の実施形態に係るノイズフィルタ１０ｂの構成について図面を参照しながら説明する。図１２は、第２の実施形態に係るノイズフィルタ１０ｂの積層体１２ｂの分解斜視図である。ノイズフィルタ１０ｂの外観斜視図及び等価回路図については、ノイズフィルタ１０ａと同じであるので、図１及び図３を援用する。図１２において、図２と同じ構成については、同じ参照符号が付してある。
【００４３】
ノイズフィルタ１０ａとノイズフィルタ１０ｂとの相違点は、コイルＬ１とコイルＬ２の結合のさせ方及びコイルＬ３とコイルＬ４との結合のさせ方である。より具体的には、ノイズフィルタ１０ａでは、コイルＬ１のコイル軸とコイルＬ２のコイル軸とをｚ軸方向から平面視したときに一致させると共に、ｚ軸方向において、コイルＬ１とコイルＬ２とを部分的に重ならせている。また、同様に、コイルＬ３のコイル軸とコイルＬ４のコイル軸とをｚ軸方向から平面視したときに一致させると共に、ｚ軸方向において、コイルＬ４とコイルＬ４とを部分的に重ならせている。
【００４４】
一方、ノイズフィルタ１０ｂでは、コイルＬ１のコイル軸とコイルＬ２のコイル軸とをｚ軸方向から平面視したときに重ならせないと共に、ｚ軸方向において、コイルＬ１とコイルＬ２とを一致させた状態で重ならせている。コイルＬ３のコイル軸とコイルＬ４のコイル軸とをｚ軸方向から平面視したときに重ならせないと共に、ｚ軸方向において、コイルＬ３とコイルＬ４とを一致させた状態で重ならせている。
【００４５】
より詳細には、コイルＬ１〜Ｌ４は、誘電体層１６ｃ〜１６ｉに設けられており、ｚ軸方向において一致した領域に設けられている。そして、コイルＬ１のコイル軸とコイルＬ２のコイル軸とをｚ軸方向から平面視したときに一致しないように配置する。ただし、コイルＬ１とコイルＬ２とは、ｚ軸方向から平面視したときに重なっている。同様に、コイルＬ３のコイル軸とコイルＬ４のコイル軸とをｚ軸方向から平面視したときに一致しないように配置する。ただし、コイルＬ３とコイルＬ４とは、ｚ軸方向から平面視したときに重なっている。
【００４６】
以上のようなノイズフィルタ１０ｂによっても、ノイズフィルタ１０ａと同様に、ノーマルモードノイズ及びコモンモードノイズの両方を除去することができる。
【００４７】
特に、ノイズフィルタ１０ｂでは、図１２に示すように、ｚ軸方向から平面視したときに、コイルＬ１のコイル軸とコイルＬ２のコイル軸とをｚ軸方向から平面視したときに重ならせないと共に、ｚ軸方向において、コイルＬ１とコイルＬ２とを一致させた状態で重ならせている。よって、コイルＬ１のコイル軸とコイルＬ２のコイル軸とのずれ量を調整することにより、コイルＬ１とコイルＬ２とを適切な結合係数にて結合させることが容易となる。同様に、コイルＬ３とコイルＬ４とを適切な結合係数にて結合させることが容易となる。この適切な結合係数とは、具体的には、０．３以上０．６以下である。そして、コイルＬ１とコイルＬ２との結合係数及びコイルＬ３とコイルＬ４との結合係数を０．３以上０．６以下とすることにより、携帯電話のドライバとレシーバとの間を伝送する差動信号に発生するノーマルモードノイズを効果的に除去できる。
【００４８】
（第３の実施形態）
以下に、第２の実施形態に係るノイズフィルタ１０ｃの構成について図面を参照しながら説明する。図１３は、第３の実施形態に係るノイズフィルタ１０ｃの積層体１２ｃの分解斜視図である。図１４は、ノイズフィルタ１０ｃの等価回路図である。図１３及び図１４において、図２及び図３と同じ構成については、同じ参照符号が付してある。
【００４９】
積層体１２ｃは、図１３に示すように、誘電体層１６ａ，１６ｑのそれぞれにコンデンサ電極８０，８２，８４，８６，９０，９２，９４，９６が形成されている点において、積層体１２ａと相違する。以下、積層体１２ｃと積層体１２ａとの相違点を中心に説明を行う。
【００５０】
誘電体層１６ａには、コンデンサ電極５０，５２，５４，５６，８０，８２，８４，８６が形成されている。コンデンサ電極８０とコンデンサ電極５８とは、誘電体層１６ａを挟んで対向することにより、コンデンサＣ５を構成している。コンデンサ電極８２とコンデンサ電極５８とは、誘電体層１６ａを挟んで対向することにより、コンデンサＣ６を構成している。コンデンサ電極８４とコンデンサ電極５８とは、誘電体層１６ａを挟んで対向することにより、コンデンサＣ７を構成している。コンデンサ電極８６とコンデンサ電極５８とは、誘電体層１６ａを挟んで対向することにより、コンデンサＣ８を構成している。
【００５１】
更に、コンデンサ電極８０のｙ軸方向の正方向側の端部には、引き出し部８１が設けられている。これにより、図１４に示すように、コンデンサＣ５は、外部電極Ｅ１と外部電極Ｅ９，Ｅ１０との間に接続されるようになる。また、コンデンサ電極８２のｙ軸方向の正方向側の端部には、引き出し部８３が設けられている。これにより、図１４に示すように、コンデンサＣ６は、外部電極Ｅ３と外部電極Ｅ９，Ｅ１０との間に接続されるようになる。また、コンデンサ電極８４のｙ軸方向の正方向側の端部には、引き出し部８５が設けられている。これにより、図１４に示すように、コンデンサＣ７は、外部電極Ｅ５と外部電極Ｅ９，Ｅ１０との間に接続されるようになる。また、コンデンサ電極８６のｙ軸方向の正方向側の端部には、引き出し部８７が設けられている。これにより、図１４に示すように、コンデンサＣ８は、外部電極Ｅ７と外部電極Ｅ９，Ｅ１０との間に接続されるようになる。
【００５２】
誘電体層１６ｑには、コンデンサ電極６０，６２，６４，６６，９０，９２，９４，９６が形成されている。コンデンサ電極９０とコンデンサ電極６８とは、誘電体層１６ｐを挟んで対向することにより、コンデンサＣ５を構成している。コンデンサ電極９２とコンデンサ電極６８とは、誘電体層１６ｐを挟んで対向することにより、コンデンサＣ６を構成している。コンデンサ電極９４とコンデンサ電極６８とは、誘電体層１６ｐを挟んで対向することにより、コンデンサＣ７を構成している。コンデンサ電極９６とコンデンサ電極６８とは、誘電体層１６ｐを挟んで対向することにより、コンデンサＣ８を構成している。
【００５３】
更に、コンデンサ電極９０のｙ軸方向の正方向側の端部には、引き出し部９１が設けられている。これにより、図１４に示すように、コンデンサＣ５は、外部電極Ｅ１と外部電極Ｅ９，Ｅ１０との間に接続されるようになる。また、コンデンサ電極９２のｙ軸方向の正方向側の端部には、引き出し部９３が設けられている。これにより、図１４に示すように、コンデンサＣ６は、外部電極Ｅ３と外部電極Ｅ９，Ｅ１０との間に接続されるようになる。また、コンデンサ電極９４のｙ軸方向の正方向側の端部には、引き出し部９５が設けられている。これにより、図１４に示すように、コンデンサＣ７は、外部電極Ｅ５と外部電極Ｅ９，Ｅ１０との間に接続されるようになる。また、コンデンサ電極９６のｙ軸方向の正方向側の端部には、引き出し部９７が設けられている。これにより、図１４に示すように、コンデンサＣ８は、外部電極Ｅ７と外部電極Ｅ９，Ｅ１０との間に接続されるようになる。
【００５４】
ノイズフィルタ１０ｃは、コンデンサＣ５〜Ｃ８が追加されて、Π型構造をとることによって、ノーマルモードノイズ及びコモンモードノイズの挿入損失を急峻かつ大きくすることができる。
【００５５】
なお、ノイズフィルタ１０ｃでは、ノイズフィルタ１０ａと同様に、コイルＬ１のコイル軸とコイルＬ２のコイル軸とをｚ軸方向から平面視したときに一致させると共に、ｚ軸方向において、コイルＬ１とコイルＬ２とを部分的に重ならせている。また、同様に、コイルＬ３のコイル軸とコイルＬ４のコイル軸とをｚ軸方向から平面視したときに一致させると共に、ｚ軸方向において、コイルＬ３とコイルＬ４とを部分的に重ならせている。しかしながら、コイルＬ１とコイルＬ２との結合のさせ方及びコイルＬ３とコイルＬ４との結合のさせ方はこれに限らない。ノイズフィルタ１０ｃにおいて、ノイズフィルタ１０ｂのように、コイルＬ１のコイル軸とコイルＬ２のコイル軸とをｚ軸方向から平面視したときに重ならせないと共に、ｚ軸方向において、コイルＬ１とコイルＬ２とを一致させた状態で重ならせてもよい。同様に、コイルＬ３のコイル軸とコイルＬ４のコイル軸とをｚ軸方向から平面視したときに重ならせないと共に、ｚ軸方向において、コイルＬ３とコイルＬ４とを一致させた状態で重ならせてもよい。
【００５６】
（第４の実施形態）
以下に、第４の実施形態に係るノイズフィルタ１０ｄの構成について図面を参照しながら説明する。図１５は、第４の実施形態に係るノイズフィルタ１０ｄの積層体１２ｄの分解斜視図である。図１６は、ノイズフィルタ１０ｄの等価回路図である。図１５及び図１６において、図２及び図３と同じ構成については、同じ参照符号が付してある。
【００５７】
ノイズフィルタ１０ｄは、図１５及び図１６に示すように、コンデンサＣ１〜Ｃ４の代わりに、コンデンサＣ９〜Ｃ１２が設けられている点において、図２及び図３に示すノイズフィルタ１０ａと相違する。以下、積層体１２ｃと積層体１２ａとの相違点を中心に説明を行う。
【００５８】
ノイズフィルタ１０ｄでは、図１５に示すように、コイルＬ１，Ｌ４の途中に、コンデンサ電極１００〜１０２が形成された誘電体層１６ｃ，１６ｄが挿入されている。同様に、コイルＬ２，Ｌ３の途中に、コンデンサ電極１０５〜１０７が形成された誘電体層１６ｎ，１６ｏが挿入されている。
【００５９】
より詳細には、誘電体層１６ｃ，１６ｄは、誘電体層１６ｂと誘電体層１６ｅとの間に配置される。コンデンサ電極１００，１０１はそれぞれ、コイルＬ１，Ｌ４に接続されており、コンデンサ電極１０２は、コイルＬ１，Ｌ４には接続されていない。ただし、コンデンサ電極１０２は、外部電極Ｅ９，Ｅ１２と接続される引き出し部１０３，１０４が設けられている。これにより、コンデンサＣ９，Ｃ１２は、図１６に示すように、コイルＬ１，Ｌ４の途中と外部電極Ｅ９、Ｅ１０との間に接続されている。
【００６０】
誘電体層１６ｎ，１６ｏは、誘電体層１６ｍと誘電体層１６ｐとの間に配置される。コンデンサ電極１０５，１０６は、コイルＬ２，Ｌ３に接続されており、コンデンサ電極１０７は、コイルＬ２，Ｌ３には接続されていない。ただし、コンデンサ電極１０７は、外部電極Ｅ９，Ｅ１０と接続される引き出し部１０８，１０９が設けられている。これにより、コンデンサＣ１０，Ｃ１１は、図１６に示すように、コイルＬ１，Ｌ４の途中と外部電極Ｅ９、Ｅ１０との間に接続されている。
【００６１】
ノイズフィルタ１０ｄは、コンデンサＣ９〜Ｃ１２が追加されて、Ｔ型構造をとることによって、ノーマルモードノイズ及びコモンモードノイズの挿入損失を急峻かつ大きくすることができる。
【００６２】
なお、ノイズフィルタ１０ｄでは、ノイズフィルタ１０ａと同様に、コイルＬ１のコイル軸とコイルＬ２のコイル軸とをｚ軸方向から平面視したときに一致させると共に、ｚ軸方向において、コイルＬ１とコイルＬ２とを部分的に重ならせている。また、同様に、コイルＬ３のコイル軸とコイルＬ４のコイル軸とをｚ軸方向から平面視したときに一致させると共に、ｚ軸方向において、コイルＬ４とコイルＬ４とを部分的に重ならせている。しかしながら、コイルＬ１とコイルＬ２との結合のさせ方及びコイルＬ３とコイルＬ４との結合のさせ方はこれに限らない。ノイズフィルタ１０ｄにおいて、ノイズフィルタ１０ｂのように、コイルＬ１のコイル軸とコイルＬ２のコイル軸とをｚ軸方向から平面視したときに重ならせないと共に、ｚ軸方向において、コイルＬ１とコイルＬ２とを一致させた状態で重ならせてもよい。同様に、コイルＬ３のコイル軸とコイルＬ４のコイル軸とをｚ軸方向から平面視したときに重ならせないと共に、ｚ軸方向において、コイルＬ３とコイルＬ４とを一致させた状態で重ならせてもよい。
【００６３】
（第５の実施形態）
以下に、第５の実施形態に係るノイズフィルタ１０ｅの構成について図面を参照しながら説明する。図１７は、第５の実施形態に係るノイズフィルタ１０ｅの積層体１２ｅの分解斜視図である。図１８は、ノイズフィルタ１０ｅの等価回路図である。図１７及び図１８において、図２、図３、図１５及び図１６と同じ構成については、同じ参照符号が付してある。
【００６４】
ノイズフィルタ１０ｅは、ノイズフィルタ１０ａとノイズフィルタ１０ｄとを組み合わせた構造を有している。具体的には、ノイズフィルタ１０ｅは、ノイズフィルタ１０ａに対して、ノイズフィルタ１０ｄのコンデンサＣ９〜Ｃ１２が追加された構造を有している。これにより、ノイズフィルタ１０ｅは、図１８に示すように、Ｌ型構造のＬＣフィルタが直列に接続された構造を有するようになる。
【００６５】
なお、ノイズフィルタ１０ｅでは、ノイズフィルタ１０ａと同様に、コイルＬ１のコイル軸とコイルＬ２のコイル軸とをｚ軸方向から平面視したときに一致させると共に、ｚ軸方向において、コイルＬ１とコイルＬ２とを部分的に重ならせている。また、同様に、コイルＬ３のコイル軸とコイルＬ４のコイル軸とをｚ軸方向から平面視したときに一致させると共に、ｚ軸方向において、コイルＬ４とコイルＬ４とを部分的に重ならせている。しかしながら、コイルＬ１とコイルＬ２との結合のさせ方及びコイルＬ３とコイルＬ４との結合のさせ方はこれに限らない。ノイズフィルタ１０ｅにおいて、ノイズフィルタ１０ｂのように、コイルＬ１のコイル軸とコイルＬ２のコイル軸とをｚ軸方向から平面視したときに重ならせないと共に、ｚ軸方向において、コイルＬ１とコイルＬ２とを一致させた状態で重ならせてもよい。同様に、コイルＬ３のコイル軸とコイルＬ４のコイル軸とをｚ軸方向から平面視したときに重ならせないと共に、ｚ軸方向において、コイルＬ３とコイルＬ４とを一致させた状態で重ならせてもよい。
【００６６】
（第６の実施形態）
以下に、第６の実施形態に係るノイズフィルタ１０ｆの構成について図面を参照しながら説明する。図１９は、第６の実施形態に係るノイズフィルタ１０ｆの積層体１２ｆの分解斜視図である。図１９において、図２と同じ構成については、同じ参照符号が付してある。
【００６７】
積層体１２ｆは、図１９に示すように、結合電極１２０，１２１が設けられている誘電体層１６ｃ，１６ｑが設けられている点において、図２に示す積層体１２ａと相違する。以下に、積層体１２ｆと積層体１２ａの相違点について説明する。
【００６８】
図１９に示すように、結合電極１２０は、コイルＬ１とコイルＬ４とを容量結合させるための電極であり、ｘ軸方向に延在している帯状の電極である。結合電極１２０は、ｚ軸方向において、コイルＬ１，Ｌ４とコンデンサＣ１〜Ｃ４との間に設けられている。また、結合電極１２０は、ｚ軸方向から平面視したときに、コイルＬ１とコイルＬ４と重なるように設けられている。これにより、コイルＬ１とコイルＬ４との間に寄生容量が形成されるようになる。
【００６９】
また、結合電極１２１は、コイルＬ２とコイルＬ３とを容量結合させるための電極であり、ｘ軸方向に延在している帯状の電極である。結合電極１２１は、ｚ軸方向において、コイルＬ２，Ｌ３とコンデンサＣ１〜Ｃ４との間に設けられている。また、結合電極１２１は、ｚ軸方向から平面視したときに、コイルＬ２とコイルＬ３と重なるように設けられている。これにより、コイルＬ２とコイルＬ３との間に寄生容量が形成されるようになる。
【００７０】
以上のように、ノイズフィルタ１０ｆでは、結合電極１２０，１２１が設けられている。該結合電極１２０，１２１は、コイルＬ１，Ｌ２からなる組とコイルＬ３，Ｌ４からなる組とを容量結合させている。これにより、ノイズフィルタ１０ｆは、結合電極１２０，１２１がないノイズフィルタよりも、コモンモードノイズの反射を抑制することが可能となる。
【００７１】
なお、ノイズフィルタ１０ｆでは、ノイズフィルタ１０ａと同様に、コイルＬ１のコイル軸とコイルＬ２のコイル軸とをｚ軸方向から平面視したときに一致させると共に、ｚ軸方向において、コイルＬ１とコイルＬ２とを部分的に重ならせている。また、同様に、コイルＬ３のコイル軸とコイルＬ４のコイル軸とをｚ軸方向から平面視したときに一致させると共に、ｚ軸方向において、コイルＬ４とコイルＬ４とを部分的に重ならせている。しかしながら、コイルＬ１とコイルＬ２との結合のさせ方及びコイルＬ３とコイルＬ４との結合のさせ方はこれに限らない。ノイズフィルタ１０ｆにおいて、ノイズフィルタ１０ｂのように、コイルＬ１のコイル軸とコイルＬ２のコイル軸とをｚ軸方向から平面視したときに重ならせないと共に、ｚ軸方向において、コイルＬ１とコイルＬ２とを一致させた状態で重ならせてもよい。同様に、コイルＬ３のコイル軸とコイルＬ４のコイル軸とをｚ軸方向から平面視したときに重ならせないと共に、ｚ軸方向において、コイルＬ３とコイルＬ４とを一致させた状態で重ならせてもよい。
【００７２】
なお、ノイズフィルタ１０ｂ〜１０ｅにおいて、結合電極１２０，１２１が設けられてもよい。
【図面の簡単な説明】
【００７３】
【図１】本発明の実施形態に係るノイズフィルタの外観斜視図である。
【図２】第１の実施形態に係るノイズフィルタの積層体の分解図である。
【図３】第１の実施形態に係るノイズフィルタの等価回路図である。
【図４】ノイズフィルタにおいて、コイルＬ１とコイルＬ２との結合係数及びコイルＬ３とコイルＬ４との結合係数を０．２としたときにおける、ノーマルモードノイズの挿入損失と周波数との関係を示したグラフである。
【図５】ノイズフィルタにおいて、コイルＬ１とコイルＬ２との結合係数及びコイルＬ３とコイルＬ４との結合係数を０．３としたときにおける、ノーマルモードノイズの挿入損失と周波数との関係を示したグラフである。
【図６】ノイズフィルタにおいて、コイルＬ１とコイルＬ２との結合係数及びコイルＬ３とコイルＬ４との結合係数を０．６としたときにおける、ノーマルモードノイズの挿入損失と周波数との関係を示したグラフである。
【図７】ノイズフィルタにおいて、コイルＬ１とコイルＬ２との結合係数及びコイルＬ３とコイルＬ４との結合係数を０．７としたときにおける、ノーマルモードノイズの挿入損失と周波数との関係を示したグラフである。
【図８】第１の実験例において、第１の実験を行った際の結果を示したグラフである。
【図９】第２の実験例において、第１の実験を行った際の結果を示したグラフである。
【図１０】第２の実験例において、第２の実験を行った際の結果を示したグラフである。
【図１１】第１の実験例において、第２の実験を行った際の結果を示したグラフである。
【図１２】第２の実施形態に係るノイズフィルタの積層体の分解斜視図である。
【図１３】第３の実施形態に係るノイズフィルタの積層体の分解斜視図である。
【図１４】図１３のノイズフィルタの等価回路図である。
【図１５】第４の実施形態に係るノイズフィルタの積層体の分解斜視図である。
【図１６】図１５のノイズフィルタの等価回路図である。
【図１７】第５の実施形態に係るノイズフィルタの積層体の分解斜視図である。
【図１８】図１７のノイズフィルタの等価回路図である。
【図１９】第６の実施形態に係るノイズフィルタの積層体の分解斜視図である。
【符号の説明】
【００７４】
Ｃ１〜Ｃ１２  コンデンサ
Ｌ１〜Ｌ４  コイル
Ｌ１１，Ｌ１２  コモンモードチョークコイル
ＬＣ１〜ＬＣ４  ＬＣフィルタ
１０ａ〜１０ｆ  ノイズフィルタ
１２ａ〜１２ｆ  積層体
１４ａ〜１４ｆ，１６ａ〜１６ｕ  誘電体層
３０ａ〜３０ｈ，３２ａ〜３２ｈ，３４ａ〜３４ｈ，３６ａ〜３６ｈ  コイル電極
５０，５２，５４，５６，５８，６０，６２，６４，６６，６８，８０，８２，８４，８６  コンデンサ電極
Ｅ１〜Ｅ１０  外部電極
【図１】
2010141827.tif 000003
【図２】
2010141827.tif 000004
【図３】
2010141827.tif 000005
【図４】
2010141827.tif 000006
【図５】
2010141827.tif 000007
【図６】
2010141827.tif 000008
【図７】
2010141827.tif 000009
【図８】
2010141827.tif 000010
【図９】
2010141827.tif 000011
【図１０】
2010141827.tif 000012
【図１１】
2010141827.tif 000013
【図１２】
2010141827.tif 000014
【図１３】
2010141827.tif 000015
【図１４】
2010141827.tif 000016
【図１５】
2010141827.tif 000017
【図１６】
2010141827.tif 000018
【図１７】
2010141827.tif 000019
【図１８】
2010141827.tif 000020
【図１９】
2010141827.tif 000021